(57)【要約】【課題】コンテンツファイル等のファイルのメタデータの提供の際の記録容量を小さくする。【解決手段】ファイル転送システムが、パーソナルコンピュータ１２に記録されたファイルの少なくとも一部を、スマートフォン１４へ転送するリレーサーバ３０と、パーソナルコンピュータ１２に記録されたファイルのメタデータを記録するメタデータサーバ２０とを備える。なお、メタデータサーバ２０が、パーソナルコンピュータ１２に記録されたファイルのメタデータを記録するメタデータ記録部２２と、メタデータ記録部２２に記録されたメタデータを、スマートフォン１４へ提供する情報提供部２５とを有する。また、リレーサーバ３０が、ファイルの転送要求を受けて、転送要求の対象である転送要求対象ファイルの少なくとも一部を、パーソナルコンピュータ１２から取得してスマートフォン１４へ転送する。【選択図】図１
2014203199.tif 000002
【特許請求の範囲】
【請求項１】
第一端末に記録されたファイルの少なくとも一部を、第二端末へ転送する転送装置と、
前記第一端末に記録された前記ファイルのメタデータを記録するメタデータ記録装置と、
を備えたファイル転送システムであって、
前記メタデータ記録装置が、
前記第一端末に記録された前記ファイルのメタデータを記録するメタデータ記録部と、
前記メタデータ記録部に記録された前記メタデータを、前記第二端末へ提供するメタデータ提供部と、
を有し、
前記転送装置が、前記ファイルの転送要求を受けて、該転送要求の対象である転送要求対象ファイルの少なくとも一部を、前記第一端末から取得して前記第二端末へ転送する、
ファイル転送システム。
【請求項２】
請求項１に記載のファイル転送システムであって、
前記メタデータ記録装置が、
前記第二端末から前記転送要求を受けて前記転送装置へ転送する要求転送部、
を有するファイル転送システム。
【請求項３】
請求項１に記載のファイル転送システムであって、
前記転送要求が、前記メタデータ記録装置から前記第二端末へ提供された前記メタデータに基づくものである、
ファイル転送システム。
【請求項４】
請求項１に記載のファイル転送システムであって、
前記メタデータ記録部は、前記第一端末から受けた前記メタデータを記録する、
ファイル転送システム。
【請求項５】
請求項１に記載のファイル転送システムであって、
前記メタデータ提供部が、さらに前記第一端末の状態を前記第二端末へ提供する、
ファイル転送システム。
【請求項６】
請求項５に記載のファイル転送システムであって、
前記状態が、前記第一端末がネットワークにより接続が可能か否かを示す情報を含む、
ファイル転送システム。
【請求項７】
請求項１に記載のファイル転送システムであって、
前記転送装置が、前記第二端末の認証を行ってから、転送を行う、
ファイル転送システム。
【請求項８】
請求項１に記載のファイル転送システムであって、
前記メタデータ記録装置が、
前記第二端末に転送された前記転送要求対象ファイルを、前記第二端末から受けて記録するファイル記録部を有する、
ファイル転送システム。
【請求項９】
請求項１に記載のファイル転送システムであって、
前記メタデータ記録装置が、複数台のサーバおよび複数台のストレージにより構成される、
ファイル転送システム。
【請求項１０】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル転送方法であって、
前記メタデータ記録装置が、前記第一端末に記録された前記ファイルのメタデータを記録するメタデータ記録工程と、
前記メタデータ記録装置が、前記メタデータ記録工程により記録された前記メタデータを、前記第二端末へ提供するメタデータ提供工程と、
前記転送装置が、前記ファイルの転送要求を受けて、該転送要求の対象である転送要求対象ファイルの少なくとも一部を、前記第一端末から取得して前記第二端末へ転送する工程と、
を備えたファイル転送方法。
【請求項１１】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送方法であって、
前記メタデータ記録装置が、前記第一端末に記録された前記ファイルのメタデータを記録するメタデータ記録工程と、
前記メタデータ記録装置が、前記メタデータ記録工程により記録された前記メタデータを、前記第二端末へ提供するメタデータ提供工程と、
前記メタデータ記録装置が、前記第二端末から前記ファイルの転送要求を受けて前記転送装置へ転送する要求転送工程と、
を備えたファイル要求転送方法。
【請求項１２】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送処理をコンピュータに実行させるためのプログラムであって、
前記ファイル要求転送処理が、
前記メタデータ記録装置によって、前記第一端末に記録された前記ファイルのメタデータを記録するメタデータ記録工程と、
前記メタデータ記録装置によって、前記メタデータ記録工程により記録された前記メタデータを、前記第二端末へ提供するメタデータ提供工程と、
前記メタデータ記録装置によって、前記第二端末から前記ファイルの転送要求を受けて前記転送装置へ転送する要求転送工程と、
を備えたプログラム。
【請求項１３】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送処理をコンピュータに実行させるためのプログラムを記録したコンピュータによって読み取り可能な記録媒体であって、
前記ファイル要求転送処理が、
前記メタデータ記録装置によって、前記第一端末に記録された前記ファイルのメタデータを記録するメタデータ記録工程と、
前記メタデータ記録装置によって、前記メタデータ記録工程により記録された前記メタデータを、前記第二端末へ提供するメタデータ提供工程と、
前記メタデータ記録装置によって、前記第二端末から前記ファイルの転送要求を受けて前記転送装置へ転送する要求転送工程と、
を備えた記録媒体。
【発明の詳細な説明】
【技術分野】
【０００１】
本発明は、ファイル転送に関する。
【背景技術】
【０００２】
従来より、コンテンツファイル内のメタデータを抽出して端末に提供する技術が知られている（例えば、特許文献１の要約を参照）。
【０００３】
かかる従来技術によれば、コンテンツファイルをストレージサーバに格納しておき、このコンテンツファイルからメタデータを抽出して、データベースサーバに格納する。そのメタデータを、端末からの要求に応じて提供する。
【先行技術文献】
【特許文献】
【０００４】
【特許文献１】特開２０１３−４０８０号公報
【発明の概要】
【発明が解決しようとする課題】
【０００５】
しかしながら、上記のような従来技術によれば、コンテンツファイルをストレージサーバに格納しておく必要がある。このため、コンテンツファイルのサイズが大きい場合は、ストレージサーバの容量を大きくしなければならないといった問題が生じる。
【０００６】
そこで、本発明は、コンテンツファイル等のファイルのメタデータの提供の際の記録容量を小さくすることを課題とする。
【課題を解決するための手段】
【０００７】
本発明にかかるファイル転送システムは、第一端末に記録されたファイルの少なくとも一部を、第二端末へ転送する転送装置と、前記第一端末に記録された前記ファイルのメタデータを記録するメタデータ記録装置とを備えたファイル転送システムであって、前記メタデータ記録装置が、前記第一端末に記録された前記ファイルのメタデータを記録するメタデータ記録部と、前記メタデータ記録部に記録された前記メタデータを、前記第二端末へ提供するメタデータ提供部とを有し、前記転送装置が、前記ファイルの転送要求を受けて、該転送要求の対象である転送要求対象ファイルの少なくとも一部を、前記第一端末から取得して前記第二端末へ転送するように構成される。
【０００８】
上記のように構成されたファイル転送システムによれば、転送装置が、第一端末に記録されたファイルの少なくとも一部を、第二端末へ転送する。メタデータ記録装置が、前記第一端末に記録された前記ファイルのメタデータを記録する。メタデータ記録部が、前記第一端末に記録された前記ファイルのメタデータを記録する。メタデータ提供部が、前記メタデータ記録部に記録された前記メタデータを、前記第二端末へ提供する。前記転送装置が、前記ファイルの転送要求を受けて、該転送要求の対象である転送要求対象ファイルの少なくとも一部を、前記第一端末から取得して前記第二端末へ転送する。
【０００９】
なお、本発明にかかるファイル転送システムは、前記メタデータ記録装置が、前記第二端末から前記転送要求を受けて前記転送装置へ転送する要求転送部ようにしてもよい。
【００１０】
なお、本発明にかかるファイル転送システムは、前記転送要求が、前記メタデータ記録装置から前記第二端末へ提供された前記メタデータに基づくものであるようにしてもよい。
【００１１】
なお、本発明にかかるファイル転送システムは、前記メタデータ記録部が、前記第一端末から受けた前記メタデータを記録するようにしてもよい。
【００１２】
なお、本発明にかかるファイル転送システムは、前記メタデータ提供部が、さらに前記第一端末の状態を前記第二端末へ提供するようにしてもよい。
【００１３】
なお、本発明にかかるファイル転送システムは、前記状態が、前記第一端末がネットワークにより接続が可能か否かを示す情報を含むようにしてもよい。
【００１４】
なお、本発明にかかるファイル転送システムは、前記転送装置が、前記第二端末の認証を行ってから、転送を行うようにしてもよい。
【００１５】
なお、本発明にかかるファイル転送システムは、前記メタデータ記録装置が、前記第二端末に転送された前記転送要求対象ファイルを、前記第二端末から受けて記録するファイル記録部を有するようにしてもよい。
【００１６】
なお、本発明にかかるファイル転送システムは、前記メタデータ記録装置が、複数台のサーバおよび複数台のストレージにより構成されるようにしてもよい。
【００１７】
本発明は、第一端末に記録されたファイルの少なくとも一部を、第二端末へ転送する転送装置と、前記第一端末に記録された前記ファイルのメタデータを記録するメタデータ記録装置とを有するファイル転送システムにおけるファイル転送方法であって、前記メタデータ記録装置が、前記第一端末に記録された前記ファイルのメタデータを記録するメタデータ記録工程と、前記メタデータ記録装置が、前記メタデータ記録工程により記録された前記メタデータを、前記第二端末へ提供するメタデータ提供工程と、前記転送装置が、前記ファイルの転送要求を受けて、該転送要求の対象である転送要求対象ファイルの少なくとも一部を、前記第一端末から取得して前記第二端末へ転送する工程とを備えたファイル転送方法である。
【００１８】
本発明は、第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送方法であって、前記メタデータ記録装置が、前記第一端末に記録された前記ファイルのメタデータを記録するメタデータ記録工程と、前記メタデータ記録装置が、前記メタデータ記録工程により記録された前記メタデータを、前記第二端末へ提供するメタデータ提供工程と、前記メタデータ記録装置が、前記第二端末から前記ファイルの転送要求を受けて前記転送装置へ転送する要求転送工程とを備えたファイル要求転送方法である。
【００１９】
本発明は、第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送処理をコンピュータに実行させるためのプログラムであって、前記ファイル要求転送処理が、前記メタデータ記録装置によって、前記第一端末に記録された前記ファイルのメタデータを記録するメタデータ記録工程と、前記メタデータ記録装置によって、前記メタデータ記録工程により記録された前記メタデータを、前記第二端末へ提供するメタデータ提供工程と、前記メタデータ記録装置によって、前記第二端末から前記ファイルの転送要求を受けて前記転送装置へ転送する要求転送工程とを備えたプログラムである。
【００２０】
本発明は、第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送処理をコンピュータに実行させるためのプログラムを記録したコンピュータによって読み取り可能な記録媒体であって、前記ファイル要求転送処理が、前記メタデータ記録装置によって、前記第一端末に記録された前記ファイルのメタデータを記録するメタデータ記録工程と、前記メタデータ記録装置によって、前記メタデータ記録工程により記録された前記メタデータを、前記第二端末へ提供するメタデータ提供工程と、前記メタデータ記録装置によって、前記第二端末から前記ファイルの転送要求を受けて前記転送装置へ転送する要求転送工程とを備えた記録媒体である。
【図面の簡単な説明】
【００２１】
【図１】本発明の実施形態にかかるファイル転送システムの構成を示す図である。
【図２】メタデータサーバ（メタデータ記録装置）２０の構成を示す機能ブロック図である。
【図３】リレーサーバ（転送装置）３０の構成を示す機能ブロック図である。
【図４】ファイル転送システムにおけるメタデータの記録の際の情報の流れを示す図である。
【図５】ファイル転送システムにおけるメタデータおよびパーソナルコンピュータ（ＰＣ）１２の状態の提供の際の情報の流れを示す図である。
【図６】スマートフォン１４のディスプレイに表示されたメタデータおよびパーソナルコンピュータ１２の状態の一例を示す図である。
【図７】「仕事」フォルダをタップした後のスマートフォン１４のディスプレイの表示画面の一例を示す図である。
【図８】ファイル転送システムにおけるファイルの選択の際の情報の流れを示す図である。
【図９】ファイル転送システムにおけるファイルの転送の際の情報の流れを示す図である。
【図１０】本発明の実施形態にかかるファイル転送システムの動作の流れを示す図である。
【発明を実施するための形態】
【００２２】
以下、本発明の実施形態を図面を参照しながら説明する。
【００２３】
図１は、本発明の実施形態にかかるファイル転送システムの構成を示す図である。
【００２４】
本発明の実施形態にかかるファイル転送システムは、メタデータサーバ（メタデータ記録装置）２０、リレーサーバ（転送装置）３０を備える。なお、図示の便宜上、メタデータ記録装置を一台のサーバ（メタデータサーバ２０）として図示したが、メタデータ記録装置をクラウドコンピューティングにより実装してもよい。例えば、メタデータ記録装置を、複数台のサーバおよび複数台のストレージにより構成してもよい。
【００２５】
本発明の実施形態にかかるファイル転送システムは、パーソナルコンピュータ（第一端末）１２に記録されたファイルの少なくとも一部を、スマートフォン（第二端末）１４へ転送するためのシステムである。この転送により、パーソナルコンピュータ１２に記録されたファイルを、スマートフォン１４にダウンロードしたり、スマートフォン１４により閲覧したりすることができる。
【００２６】
なお、パーソナルコンピュータ（第一端末）１２は、パーソナルコンピュータに限らず、例えば、据え置き型の端末とすることが考えられる。また、スマートフォン（第二端末）１４は、スマートフォンに限らず、タブレットでもよく、例えば、利用者が携帯する端末とすることが考えられる。
【００２７】
リレーサーバ（転送装置）３０は、パーソナルコンピュータ（第一端末）１２に記録されたファイルの少なくとも一部を、スマートフォン（第二端末）１４へ転送する。
【００２８】
メタデータサーバ（メタデータ記録装置）２０は、パーソナルコンピュータ（第一端末）１２に記録されたファイルのメタデータを記録する。
【００２９】
なお、メタデータは、ファイルの書誌的事項に関するデータであり、例えば、ファイルが位置するフォルダの名称（フォルダ名）、ファイル名、ファイルの更新日時およびファイルの種類などが考えられる。
【００３０】
また、パーソナルコンピュータ１２およびスマートフォン１４は、ネットワーク（例えば、インターネットおよびＬＡＮ）により、メタデータサーバ２０およびリレーサーバ３０に接続されている。なお、図１においては、ネットワークを簡略化して図示しており、ネットーワーク中の構成要素（例えば、ルータおよびスイッチなど）は図示省略している。
【００３１】
図１には、ファイル転送システムにおける情報の流れの概略（（ａ）〜（ｅ））が図示されている。なお、図１における情報の流れは、あくまで概略であり、パーソナルコンピュータ１２の状態の表示およびスマートフォン１４の認証などは省略している。ファイル転送システムにおける情報の流れの詳細は、図４、図５、図８〜図１０に図示する。
【００３２】
（ａ）メタデータの提供
パーソナルコンピュータ１２に記録されたファイルのメタデータ（ファイル本体を含まない）が、メタデータサーバ２０に提供される。メタデータサーバ２０は、パーソナルコンピュータ１２から受けたメタデータを記録する。
【００３３】
（ｂ）メタデータの提供
メタデータサーバ２０は、メタデータを、スマートフォン１４へ提供する。スマートフォン１４は、提供されたメタデータを表示する（図６の画面１４ａおよび図７の画面１４ｃを参照）。利用者は、表示されたメタデータを見て、利用したいファイルを選択する。
【００３４】
なお、ファイルを利用するためには、ファイルの少なくとも一部を、パーソナルコンピュータ１２からスマートフォン１４に転送する必要がある。よって、利用したいファイルの選択は、ファイルの転送要求であるといえる。
【００３５】
また、ファイルの転送要求（ファイルの選択）は、メタデータサーバ２０からスマートフォン１４へ提供されたメタデータの表示を見て行われたものである。よって、ファイルの転送要求（ファイルの選択）は、メタデータサーバ２０からスマートフォン１４へ提供されたメタデータに基づくものである。
【００３６】
（ｃ）ファイルの選択
どのファイルが選択されたかが、スマートフォン１４からメタデータサーバ２０に送られる。
【００３７】
（ｄ）ファイルの選択の転送
どのファイルが選択されたかが、メタデータサーバ２０からリレーサーバ３０へ転送される。
【００３８】
（ｅ）ファイルの転送
リレーサーバ３０は、選択されたファイル（転送要求対象ファイル）の少なくとも一部を、パーソナルコンピュータ１２からスマートフォン１４へ転送する。
【００３９】
メタデータサーバ２０にも、リレーサーバ３０にも、パーソナルコンピュータ１２に記録されたファイルの全てを記録しておく必要が無いことに留意されたい。
【００４０】
図２は、メタデータサーバ（メタデータ記録装置）２０の構成を示す機能ブロック図である。メタデータサーバ２０は、受信データ処理部２１、メタデータ記録部２２、ＰＣ状態記録部２４、情報提供部（メタデータ提供部）２５、選択転送部（要求転送部）２６、ファイル記録部２８を備える。なお、図２における（１）、（２−１）、（２−２）、…、（３−２）、（４−６）は、図４、図５、図８〜図１０における番号に対応する。
【００４１】
ここで、上記のように、メタデータ記録装置をクラウドコンピューティングにより実装してもよい。例えば、メタデータサーバ２０における受信データ処理部２１、情報提供部２５および選択転送部２６を、それぞれ別のサーバにより実装してもよい。例えば、メタデータサーバ２０におけるメタデータ記録部２２、ＰＣ状態記録部２４およびファイル記録部２８を、それぞれ別のストレージにより実装してもよい。
【００４２】
受信データ処理部２１は、パーソナルコンピュータ１２またはスマートフォン１４からのデータ（「受信データ」という）を受信し、受信データの種類に応じて、受信データを、メタデータ記録部２２、ＰＣ状態記録部２４、情報提供部２５、選択転送部２６およびファイル記録部２８のいずれかに与える。
【００４３】
受信データ処理部２１は、パーソナルコンピュータ１２からメタデータの提供を受けた場合（図４、図１０の「（１）メタデータの提供」を参照）は、メタデータを、メタデータ記録部２２に与える。
【００４４】
受信データ処理部２１は、スマートフォン１４からメタデータの要求を受けた場合（図５、図１０の「（２−１）メタデータの要求」を参照）は、メタデータの要求を受けた旨を、情報提供部２５に与える。
【００４５】
受信データ処理部２１は、パーソナルコンピュータ１２から状態（接続の可否など）の応答を受けた場合（図５、図１０の「（２−３）状態の応答」を参照）は、この状態を、ＰＣ状態記録部２４に与える。
【００４６】
受信データ処理部２１は、ファイルの選択をスマートフォン１４から受けた場合（図８、図１０の「（３−１）ファイルの選択」を参照）は、ファイルの選択を、選択転送部２６に与える。
【００４７】
受信データ処理部２１は、ファイルをスマートフォン１４から受けた場合（図９、図１０の「（４−６）ファイルの記録」を参照）は、ファイルを、ファイル記録部２８に与える。
【００４８】
メタデータ記録部２２は、パーソナルコンピュータ１２から、受信データ処理部２１を介して、パーソナルコンピュータ１２に記録されたファイルのメタデータを受けて、記録する。
【００４９】
ＰＣ状態記録部２４は、パーソナルコンピュータ１２の状態（例えば、パーソナルコンピュータ１２がネットワークにより接続が可能か否かを示す情報）を記録する。なお、状態は、接続の可否に加えて、待機中、Wake ON LANにより接続可能、電源切れおよび接続不可といった詳細な情報を含んでいてもよい。
【００５０】
情報提供部（メタデータ提供部）２５は、受信データ処理部２１を介して、スマートフォン１４からメタデータの要求を受けると、パーソナルコンピュータ１２へ状態の確認を行う（図５、図１０の「（２−２）状態の確認」を参照）。すると、パーソナルコンピュータ１２から（またはパーソナルコンピュータ１２に接続されたルータから）、状態（接続の可否など）の応答がなされる。状態（接続の可否など）の応答は、受信データ処理部２１を介して、ＰＣ状態記録部２４に与えられ、記録される。すると、情報提供部２５は、メタデータ記録部２２からメタデータを読み出し、ＰＣ状態記録部２４からパーソナルコンピュータ１２の状態を読み出す。さらに、情報提供部２５は、読み出したメタデータおよびパーソナルコンピュータ１２の状態を、スマートフォン１４へ提供する（図５、図１０の「（２−４）メタデータ及び状態の提供」を参照）。
【００５１】
すなわち、情報提供部（メタデータ提供部）２５は、メタデータ記録部２２に記録されたメタデータを、スマートフォン１４へ提供し、さらに、パーソナルコンピュータ１２の状態をスマートフォン１４へ提供する。
【００５２】
選択転送部（要求転送部）２６は、スマートフォン１４からファイルの選択（ファイルの転送要求）を、受信データ処理部２１を介して受けて、リレーサーバ３０へファイルの選択を転送する（図８、図１０の「（３−２）ファイルの選択の転送」を参照）。
【００５３】
ファイル記録部２８は、スマートフォン１４に転送された転送要求対象ファイルを、スマートフォン１４から、受信データ処理部２１を介して受けて記録する。
【００５４】
なお、ファイル記録部２８は、いわゆるクラウドストレージとして利用することもできる。例えば、利用者は、パーソナルコンピュータ１２からでも、スマートフォン１４からでも、任意のファイルをネットワークを介してファイル記録部２８に与えて記録させ、かつ読み出すことができる。
【００５５】
図３は、リレーサーバ（転送装置）３０の構成を示す機能ブロック図である。リレーサーバ３０は、受信データ処理部３２、認証情報要求部３４、認証部３６、ファイル転送部３８を備える。
【００５６】
リレーサーバ３０は、ファイルの転送要求（図８、図１０の「（３−２）ファイルの選択の転送」を参照）を受けて、この転送要求の対象である転送要求対象ファイルの少なくとも一部を、パーソナルコンピュータ１２から取得して（図９、図１０の「（４−４）ファイル取得」を参照）、スマートフォン１４へ転送する（図９、図１０の「（４−５）ファイル転送」を参照）。
【００５７】
受信データ処理部３２は、メタデータサーバ２０、パーソナルコンピュータ１２またはスマートフォン１４かのデータを受信し、このデータの種類に応じて、このデータを、メ認証情報要求部３４、認証部３６およびファイル転送部３８のいずれかに与える。
【００５８】
受信データ処理部３２は、ファイルの選択の転送をメタデータサーバ２０から受けた場合（図８、図１０の「（３−２）ファイルの選択の転送」を参照）は、ファイルの選択の転送があった旨を、認証情報要求部３４に与える。
【００５９】
受信データ処理部３２は、認証情報をスマートフォン１４から受けた場合（図９、図１０の「（４−２）認証情報の取得」を参照）は、認証情報（例えば、利用者のIDおよびパスワードなど）を、認証部３６に与える。
【００６０】
受信データ処理部３２は、ファイルの少なくとも一部をパーソナルコンピュータ１２から受けた場合（図９、図１０の「（４−４）ファイル取得」を参照）は、ファイルの少なくとも一部をスマートフォン１４に転送する。なお、転送終了後は、リレーサーバ３０には、パーソナルコンピュータ１２から受けたファイル全部を記録しておく必要は無い。
【００６１】
認証情報要求部３４は、受信データ処理部３２を介して、ファイルの選択の転送を受けると、スマートフォン１４へ、認証情報を要求する（図９、図１０の「（４−１）認証情報の要求」を参照）。
【００６２】
認証部３６は、受信データ処理部３２を介して、認証情報を受けると、スマートフォン１４の認証を行う。すなわち、認証部３６は、ファイルの転送を要求してきたスマートフォン１４の利用者が、パーソナルコンピュータ１２のファイルにアクセスする権限を有している否かを、認証情報により確認する。認証部３６が、認証情報として利用者のIDおよびパスワードを受けた場合、正しい認証情報を受ければ、パーソナルコンピュータ１２にファイルを要求する（図９、図１０の「（４−３）ファイル要求」を参照）。
【００６３】
ファイル転送部３８は、受信データ処理部３２を介して、ファイルの少なくとも一部を受けると、スマートフォン１４へ、ファイルの少なくとも一部を転送する（図９、図１０の「（４−５）ファイル転送」を参照）。なお、認証部３６によるスマートフォン１４の認証が行われてから、ファイルの転送が行われる。
【００６４】
次に、本発明の実施形態の動作を説明する。
【００６５】
図１０は、本発明の実施形態にかかるファイル転送システムの動作の流れを示す図である。なお、図１０における動作の流れを、図４、図５、図８および図９に分けて図示している。
【００６６】
（Ｉ）メタデータの記録
図４は、ファイル転送システムにおけるメタデータの記録の際の情報の流れを示す図である。
【００６７】
パーソナルコンピュータ１２に記録されたファイルからメタデータが抽出される。抽出されたメタデータが、自動的に（またはパーソナルコンピュータ１２の利用者の手動により）、メタデータサーバ２０に提供される（図４、図１０の「（１）メタデータの提供」を参照）。
【００６８】
メタデータサーバ２０の受信データ処理部２１は、パーソナルコンピュータ１２からメタデータを受けると、メタデータ記録部２２に与える。メタデータ記録部２２は、メタデータを記録する。
【００６９】
（ＩＩ）メタデータおよびＰＣ１２の状態の提供
図５は、ファイル転送システムにおけるメタデータおよびパーソナルコンピュータ（ＰＣ）１２の状態の提供の際の情報の流れを示す図である。
【００７０】
まず、メタデータサーバ２０はスマートフォン１４からメタデータの提供の要求を受ける（図５、図１０の「（２−１）メタデータの要求」を参照）。メタデータの提供の要求は、受信データ処理部２１を介して、情報提供部２５に与えられる。情報提供部２５は、パーソナルコンピュータ１２に対し、状態を確認する（図５、図１０の「（２−２）状態の確認」を参照）。
【００７１】
パーソナルコンピュータ１２から（またはパーソナルコンピュータ１２に接続されたルータから）、状態について応答があると（図５、図１０の「（２−３）状態の応答」を参照）、その応答は、受信データ処理部２１を介して、ＰＣ状態記録部２４に記録される。
【００７２】
情報提供部２５は、メタデータ記録部２２からメタデータを読み出し、ＰＣ状態記録部２４からパーソナルコンピュータ１２の状態を読み出す。さらに、情報提供部２５は、読み出したメタデータおよびパーソナルコンピュータ１２の状態を、スマートフォン１４へ提供する（図５、図１０の「（２−４）メタデータ及び状態の提供」を参照）。
【００７３】
スマートフォン１４へ提供されたメタデータおよびパーソナルコンピュータ１２の状態は、スマートフォン１４のディスプレイに表示される。
【００７４】
図６は、スマートフォン１４のディスプレイに表示されたメタデータおよびパーソナルコンピュータ１２の状態の一例を示す図である。
【００７５】
メタデータとしては、パーソナルコンピュータ１２におけるフォルダ名、ファイル名、更新日時およびファイルの種類を想定している。パーソナルコンピュータ１２の状態としては、インターネットによる接続が可能か否かを想定している。
【００７６】
スマートフォン１４のディスプレイの上部に画面１４ａが表示され、アイコンと共にフォルダ名が表示される。なお、フォルダ名の左脇にあるものはフォルダのアイコンである。スマートフォン１４のディスプレイの下部に画面１４ｂが表示され、パーソナルコンピュータ（ＰＣ）１２がインターネットによる接続可能の状態であることが表示される。
【００７７】
スマートフォン１４の利用者は、パーソナルコンピュータ（ＰＣ）１２が接続可能であることを確認して、例えば、「仕事」フォルダをタップして開くこととする。なお、「タップ」はスマートフォンにおいて周知の動作（軽く画面を叩く）であり、詳細な説明は省略する。
【００７８】
図７は、「仕事」フォルダをタップした後のスマートフォン１４のディスプレイの表示画面の一例を示す図である。
【００７９】
スマートフォン１４へ提供されたメタデータには、「仕事」フォルダに収納されたファイルのファイル名、更新日時およびファイルの種類が含まれている。図６の画面において、「仕事」フォルダをタップすると、「仕事」フォルダに収納されたファイルのファイル名、更新日時およびファイルの種類が、メタデータに基づき表示される（スマートフォン１４のディスプレイの上部の画面１４ｃを参照）。なお、画面１４ｂはそのままである。
【００８０】
スマートフォン１４の利用者は、画面１４ｃを見て、利用したいファイルをタップすることにより選択する。例えば、「納品書」ファイルを利用すべく、選択するものとする。なお、上記のように、利用したいファイルの選択は、ファイルの転送要求でもある。
【００８１】
このように、ファイルの転送要求（ファイルの選択）は、メタデータサーバ２０からスマートフォン１４へ提供されたメタデータの表示（図７の画面１４ｃ）に基づきなされたものである。
【００８２】
（ＩＩＩ）ファイルの選択
図８は、ファイル転送システムにおけるファイルの選択の際の情報の流れを示す図である。
【００８３】
スマートフォン１４から、どのファイルが選択されたかが（図８、図１０の「（３−１）ファイルの選択」を参照）、メタデータサーバ２０に送られる。メタデータサーバ２０の受信データ処理部２１は、ファイルの選択をスマートフォン１４から受けて（図８、図１０の「（３−１）ファイルの選択」を参照）、選択転送部２６に与える。選択転送部２６は、どのファイルが選択されたかを、リレーサーバ３０に転送する（図８、図１０の「（３−２）ファイルの選択の転送」を参照）。
【００８４】
（ＩＶ）ファイルの転送
図９は、ファイル転送システムにおけるファイルの転送の際の情報の流れを示す図である。
【００８５】
リレーサーバ３０の受信データ処理部３２は、ファイルの選択の転送をメタデータサーバ２０から受けて（図８、図１０の「（３−２）ファイルの選択の転送」を参照）、ファイルの選択の転送があった旨を、認証情報要求部３４に与える。認証情報要求部３４は、スマートフォン１４へ、認証情報（例えば、利用者のIDおよびパスワードなど）を要求する（図９、図１０の「（４−１）認証情報の要求」を参照）。
【００８６】
すると、スマートフォン１４の利用者が、認証情報をスマートフォン１４に入力して、リレーサーバ３０に与える。リレーサーバ３０の認証部３６は、受信データ処理部３２を介して、認証情報を取得する（図９、図１０の「（４−２）認証情報の取得」を参照）。
【００８７】
認証部３６は、正しい認証情報を取得すれば、パーソナルコンピュータ１２にファイルを要求する（図９、図１０の「（４−３）ファイル要求」を参照）。もちろん、認証部３６が、誤った認証情報を取得すれば、パーソナルコンピュータ１２にファイルを要求することはない。
【００８８】
パーソナルコンピュータ１２は、リレーサーバ３０からの要求に応じ、選択されたファイル（転送要求対象ファイル）の少なくとも一部をリレーサーバ３０へ提供する。
【００８９】
リレーサーバ３０のファイル転送部３８は、受信データ処理部３２を介して、ファイルの少なくとも一部を取得すると（図９、図１０の「（４−４）ファイル取得」を参照）、スマートフォン１４へ転送する（図９、図１０の「（４−５）ファイル転送」を参照）。
【００９０】
スマートフォン１４の利用者は、スマートフォン１４に転送されてきたファイルを利用することができる。例えば、スマートフォン１４に転送されてきた「納品書」ファイルを編集したりすることも可能である。ここで、編集後の「納品書」ファイルを保存すべく、メタデータサーバ２０に送って記録させる（図９、図１０の「（４−６）ファイルの記録」を参照）。
【００９１】
メタデータサーバ２０のファイル記録部２８は、スマートフォン１４からのファイルを、信データ処理部２１を介して受けて記録する。
【００９２】
本発明の実施形態によれば、ファイルのメタデータをスマートフォン１４へ提供する際に、メタデータサーバ２０およびリレーサーバ３０に必要とされる記録容量を小さくすることができる。これは、特許文献１（特開２０１３−４０８０号公報）に記載の技術と比較すると明らかである。
【００９３】
特許文献１に記載の技術によれば、第１の端末（本発明の実施形態のパーソナルコンピュータ１２に対応）に記録されたファイル全てのメタデータを、第２の端末（本発明の実施形態のスマートフォン１４に対応）で見るためには、第１の端末に記録された「ファイル全て」をストレージサーバに格納しておき、このファイルからメタデータを抽出する必要がある。よって、ストレージサーバの容量は大きくせざるを得ない。
【００９４】
しかし、本発明の実施形態によれば、パーソナルコンピュータ１２に記録されたファイル全てのメタデータをスマートフォン１４で見るためには、パーソナルコンピュータ１２に記録されたファイル全ての「メタデータ」をメタデータサーバ２０に記録しておけばすむ。ファイル本体に比較して、メタデータは容量が小さいので、全ての「メタデータ」をメタデータサーバ２０に記録するにしても、メタデータサーバ２０に必要とされる記録容量は小さい（数百キロバイト程度と思われる）。
【００９５】
また、本発明の実施形態によれば、リレーサーバ３０によりファイルの転送を行うが、リレーサーバ３０におけるファイルの記録は一時的なものであるため、リレーサーバ３０に必要とされる記録容量は小さい。しかも、リレーサーバ３０が転送するファイルは、パーソナルコンピュータ１２に記録されたファイル全てではなく、利用者により選択されたファイルのみであるため、リレーサーバ３０に必要とされる記録容量は小さい。
【００９６】
さらに、メタデータサーバ２０に、スマートフォン１４から送られてきたファイルを記録させているが（図９、図１０の「（４−６）ファイルの記録」を参照）、パーソナルコンピュータ１２に記録されたファイル全てではなく、利用者により選択されたファイルのみを記録するため、メタデータサーバ２０に必要とされる記録容量は小さい。
【００９７】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、メタデータサーバ２０の各部分またはリレーサーバ３０の各部分を実現するプログラムを記録したメディアを読み取らせて、ハードディスクにインストールする。このような方法でも、上記の機能を実現できる。
【符号の説明】
【００９８】
１２  パーソナルコンピュータ（ＰＣ）（第一端末）
１４  スマートフォン（第二端末）
２０  メタデータサーバ（メタデータ記録装置）
２１  受信データ処理部
２２  メタデータ記録部
２４  ＰＣ状態記録部
２５  情報提供部（メタデータ提供部）
２６  選択転送部（要求転送部）
２８  ファイル記録部
３０  リレーサーバ（転送装置）
３２  受信データ処理部
３４  認証情報要求部
３６  認証部
３８  ファイル転送部
【図１】
2014203199.tif 000003
【図２】
2014203199.tif 000004
【図３】
2014203199.tif 000005
【図４】
2014203199.tif 000006
【図５】
2014203199.tif 000007
【図６】
2014203199.tif 000008
【図７】
2014203199.tif 000009
【図８】
2014203199.tif 000010
【図９】
2014203199.tif 000011
【図１０】
2014203199.tif 000012
【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
第一端末に記録されたファイルの少なくとも一部を、第二端末へ転送する転送装置と、
前記第一端末に記録された前記ファイルのメタデータを記録するメタデータ記録装置と、
を備えたファイル転送システムであって、
前記メタデータ記録装置が、
前記第一端末に記録された前記ファイルのメタデータを記録するメタデータ記録部と、
前記メタデータ記録部に記録された前記メタデータを、前記第二端末へ提供するメタデータ提供部と、
前記第二端末から前記ファイルの転送要求を受けて前記転送装置へ転送する要求転送部と、
を有し、
前記メタデータ記録部は、前記第一端末から、前記ファイルの本体を受けないで、前記メタデータを受けて記録し、
前記転送装置が、前記ファイルの転送要求を受けて、該転送要求の対象である転送要求対象ファイルの少なくとも一部を、前記第一端末から取得して前記第二端末へ転送する、
ファイル転送システム。
【請求項２】
請求項１に記載のファイル転送システムであって、
前記転送要求が、前記メタデータ記録装置から前記第二端末へ提供された前記メタデータに基づくものである、
ファイル転送システム。
【請求項３】
請求項１に記載のファイル転送システムであって、
前記メタデータ提供部が、さらに前記第一端末の状態を前記第二端末へ提供する、
ファイル転送システム。
【請求項４】
請求項３に記載のファイル転送システムであって、
前記状態が、前記第一端末がネットワークにより接続が可能か否かを示す情報を含む、
ファイル転送システム。
【請求項５】
請求項１に記載のファイル転送システムであって、
前記転送装置が、前記第二端末の認証を行ってから、転送を行う、
ファイル転送システム。
【請求項６】
請求項１に記載のファイル転送システムであって、
前記メタデータ記録装置が、
前記第二端末に転送された前記転送要求対象ファイルを、前記第二端末から受けて記録するファイル記録部を有する、
ファイル転送システム。
【請求項７】
請求項１に記載のファイル転送システムであって、
前記メタデータ記録装置が、複数台のサーバおよび複数台のストレージにより構成される、
ファイル転送システム。
【請求項８】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル転送方法であって、
前記メタデータ記録装置が、前記第一端末に記録された前記ファイルのメタデータを記録するメタデータ記録工程と、
前記メタデータ記録装置が、前記メタデータ記録工程により記録された前記メタデータを、前記第二端末へ提供するメタデータ提供工程と、
前記メタデータ記録装置が、前記第二端末から前記ファイルの転送要求を受けて前記転送装置へ転送する要求転送工程と、
前記転送装置が、前記ファイルの転送要求を受けて、該転送要求の対象である転送要求対象ファイルの少なくとも一部を、前記第一端末から取得して前記第二端末へ転送する工程と、
を備え、
前記メタデータ記録工程は、前記第一端末から、前記ファイルの本体を受けないで、前記メタデータを受けて記録する、
ファイル転送方法。
【請求項９】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送方法であって、
前記メタデータ記録装置が、前記第一端末に記録された前記ファイルのメタデータを記録するメタデータ記録工程と、
前記メタデータ記録装置が、前記メタデータ記録工程により記録された前記メタデータを、前記第二端末へ提供するメタデータ提供工程と、
前記メタデータ記録装置が、前記第二端末から前記ファイルの転送要求を受けて前記転送装置へ転送する要求転送工程と、
を備え、
前記メタデータ記録工程は、前記第一端末から、前記ファイルの本体を受けないで、前記メタデータを受けて記録する、
ファイル要求転送方法。
【請求項１０】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送処理をコンピュータに実行させるためのプログラムであって、
前記ファイル要求転送処理が、
前記メタデータ記録装置によって、前記第一端末に記録された前記ファイルのメタデータを記録するメタデータ記録工程と、
前記メタデータ記録装置によって、前記メタデータ記録工程により記録された前記メタデータを、前記第二端末へ提供するメタデータ提供工程と、
前記メタデータ記録装置によって、前記第二端末から前記ファイルの転送要求を受けて前記転送装置へ転送する要求転送工程と、
を備え、
前記メタデータ記録工程は、前記第一端末から、前記ファイルの本体を受けないで、前記メタデータを受けて記録する、
プログラム。
【請求項１１】
第一端末に記録されたファイルの少なくとも一部を、第二端末へ転送する転送装置と、前記第一端末に記録された前記ファイルのメタデータを記録するメタデータ記録装置とを有するファイル転送システムにおけるファイル要求転送処理をコンピュータに実行させるためのプログラムを記録したコンピュータによって読み取り可能な記録媒体であって、
前記ファイル要求転送処理が、
前記メタデータ記録装置によって、前記第一端末に記録された前記ファイルのメタデータを記録するメタデータ記録工程と、
前記メタデータ記録装置によって、前記メタデータ記録工程により記録された前記メタデータを、前記第二端末へ提供するメタデータ提供工程と、
前記メタデータ記録装置によって、前記第二端末から前記ファイルの転送要求を受けて前記転送装置へ転送する要求転送工程と、
を備え、
前記メタデータ記録工程は、前記第一端末から、前記ファイルの本体を受けないで、前記メタデータを受けて記録する、
記録媒体。